(57)【要約】【課題】薬液注入作業の効率を向上させることができる薬液注入装置を提供する。【解決手段】仮想円筒Ｋは穿刺可能部１３ｂの外縁を含んだ。仮想円筒Ｋを囲むようにして縁取リング２８を配置した。縁取リング２８はチタンにて形成した。そのため、皮下埋入した薬液注入装置１１における液溜まり空間Ｓ内へ薬液を注入する際に、薬液注入装置１１を皮下埋入した部分に対してＸ線を放射（照射）する。すると、縁取リング２８は、穿刺部材１３及びハウジング本体１２よりもＸ線が透過しにくいため、縁取リング２８が識別できる。ＭＲＩ装置を用いた際には穿刺部材１３及びハウジング本体１２と、縁取リング２８とが明らかに見分けがつくように表示される。【選択図】  図２
2004350937.tif 000002
【特許請求の範囲】
【請求項１】
開口部を有するハウジング本体と、
前記開口部を塞ぐと共に薬液注入用の針を穿刺可能とした穿刺可能部を有する穿刺部材と、
前記ハウジング本体と前記穿刺部材との間に設けられた液溜まり空間と外部とを連通すると共にカテーテルを外方から装着可能とした連通部とを備えた薬液注入装置であって、
前記穿刺可能部の外縁を含む仮想筒を囲むように又は前記仮想筒内に位置するように穿刺可能部教示部材を設け、
前記穿刺可能部教示部材は、Ｘ線不透過性材料又は非磁性体金属にて設けたことを特徴とする薬液注入装置。
【請求項２】
前記穿刺可能部教示部材は、Ｘ線不透過性材料かつ非磁性体金属であることを特徴とする請求項１に記載の薬液注入装置。
【請求項３】
前記穿刺可能部教示部材は、前記ハウジング本体における液溜まり空間を基準とした前記穿刺部材とは反対側の部位に設けたことを特徴とする請求項１又は請求項２に記載の薬液注入装置。
【請求項４】
前記穿刺可能部教示部材は、前記ハウジング本体における液溜まり空間を基準とした前記穿刺部材側の部位に設けたことを特徴とする請求項１又は請求項２に記載の薬液注入装置。
【請求項５】
前記穿刺可能部教示部材に、前記ハウジング本体から前記穿刺部材が抜け出すのを防ぐ抜出防止機構を設けたことを特徴とする請求項４に記載の薬液注入装置。
【請求項６】
前記ハウジング本体に、同ハウジング本体から前記穿刺部材が抜け出すのを防ぐ抜出防止手段を設けたことを特徴とする請求項１乃至請求項５のうちいずれか１項に記載の薬液注入装置。
【発明の詳細な説明】
【０００１】
【発明の属する技術分野】
本発明は、薬液を患者の体内に注入する器具である薬液注入装置に係り、詳しくは化学療法等の治療に際して用いる皮下埋め込み型の薬液注入装置に関するものである。
【０００２】
【従来の技術】
従来より、癌などの治療で、薬液などの注入経路とするものを皮下に埋め込んで用いる薬液注入装置が知られている（特許文献１，２，３）。この特許文献１，２，３の薬液注入装置は、頂部が扁平状になったハウジングと、そのハウジングの上方中心部に配置された弾性を有する穿刺部と、前記ハウジング周壁の底部近傍の側面に小孔状をなすコネクタとを備えている。この薬液注入装置を使用する際には、予め同薬液注入装置を患者の皮下に埋入しておく。そして、患者の皮下の薬液注入装置に薬液を注入する際には、まず皮膚を触って薬液注入装置のハウジングの外縁（輪郭）を確認する。次に、ハウジングの外縁の大きさを確認することにより穿刺部分の大きさや位置を推測する。そして、皮膚と穿刺部を通してハウジング内の液溜まり空間に注射針を刺入し、その注射針の先端から液溜まり空間内に薬液を注入する。そして、液溜まり空間内に注入された薬液は前記コネクタを介して患者の体内へ注入される。
【０００３】
【特許文献１】
特開２０００−９３５２４号公報
【特許文献２】
特開平６−２２５９４３号公報
【特許文献３】
実開平６−１３８４９号公報
【０００４】
【発明が解決しようとする課題】
ところが、特許文献１，２，３の薬液注入装置は、患者の皮下に薬液注入装置を深く埋め込んだ場合や、皮膚と薬液注入装置との間に位置する脂肪層が厚くなっている場合には以下に示す問題があった。患者の皮膚を触っただけでは、ハウジングの外縁を確認しずらく、この結果、患者の皮膚を触って穿刺部分を確認することが困難となっていた。このため、薬液注入作業の効率が低下するという問題があった。
【０００５】
本発明は、前述した事情に鑑みてなされたものであって、その目的は薬液注入作業の効率を向上させることができる薬液注入装置を提供することにある。
【０００６】
【課題を解決するための手段】
上記目的を達成するために、請求項１に記載の発明は、開口部を有するハウジング本体と、前記開口部を塞ぐと共に薬液注入用の針を穿刺可能とした穿刺可能部を有する穿刺部材と、前記ハウジング本体と前記穿刺部材との間に設けられた液溜まり空間と外部とを連通すると共にカテーテルを外方から装着可能とした連通部とを備えた薬液注入装置であって、前記穿刺可能部の外縁を含む仮想筒を囲むように又は前記仮想筒内に位置するように穿刺可能部教示部材を設け、前記穿刺可能部教示部材は、Ｘ線不透過性材料又は非磁性体金属にて設けたことを要旨とする。
【０００７】
請求項２に記載の発明は、請求項１に記載の薬液注入装置において、前記穿刺可能部教示部材は、Ｘ線不透過性材料かつ非磁性体金属であることを要旨とする。
【０００８】
請求項３に記載の発明は、請求項１又は請求項２に記載の薬液注入装置において、前記穿刺可能部教示部材は、前記ハウジング本体における液溜まり空間を基準とした前記穿刺部材とは反対側の部位に設けたことを要旨とする。
【０００９】
請求項４に記載の発明は、請求項１又は請求項２に記載の薬液注入装置において、前記穿刺可能部教示部材は、前記ハウジング本体における液溜まり空間を基準とした前記穿刺部材側の部位に設けたことを要旨とする。
【００１０】
請求項５に記載の発明は、請求項４に記載の薬液注入装置において、前記穿刺可能部教示部材に、前記ハウジング本体から前記穿刺部材が抜け出すのを防ぐ抜出防止機構を設けたことを要旨とする。
【００１１】
請求項６に記載の発明は、請求項１乃至請求項５のうちいずれか１項に記載の薬液注入装置において、前記ハウジング本体に、同ハウジング本体から前記穿刺部材が抜け出すのを防ぐ抜出防止手段を設けたことを要旨とする。
【００１２】
【発明の実施の形態】
（第１実施形態）
以下、本発明を具体化した第１実施形態を図１〜図４に従って説明する。
【００１３】
図１〜図３に示すように、薬液注入装置１１は、ハウジング本体１２と、穿刺部材１３と、筒状のコネクタ１４（図２参照）とを備えている。
穿刺部材１３は、穿刺可能で自己封鎖可能な樹脂、ゴムなどの弾性体からなる。これら樹脂としては、好ましくはシリコーンゴム、ラテックス、フッソゴム等を挙げることができる。本実施形態では、シリコーンゴムを使用している。ハウジング本体１２は、生体適合性に優れた材料であり、ポリエーテルスルフォン樹脂、エポキシ樹脂、ポリスルフォン、ポリアセタールなどが用いられる。
【００１４】
図２に示すように、ハウジング本体１２は、液溜凹部２０ａを有すると共に略有底筒状をなす液溜部２０と、収納凹部１８を有するカバー部２１を備えている。
【００１５】
液溜部２０は、一側面に液溜凹部２０ａが形成されることによりその一側面に開口部１９が形成されている。その開口部１９を塞ぐように穿刺部材１３が配置されている。カバー部２１の一側面には、収納凹部１８が形成されている。カバー部２１の収納凹部１８に前記穿刺部材１３と、液溜部２０とが収納され、カバー部２１と液溜部２０とが互いに固定されている。カバー部２１における収納凹部１８が形成された側面とは反対側の側面には、前記穿刺部材１３の上面中央部分を露出可能な露出孔２１ａが形成され、その露出孔２１ａにより穿刺部材１３の上面中央部分が露出されている。穿刺部材１３はカバー部２１にて離脱不能とされている。液溜凹部２０ａを有する液溜部２０と穿刺部材１３との間には液溜まり空間Ｓが形成されている。
【００１６】
液溜部２０にはその内部底面に直交する側壁に連通孔２０ｂが形成され、カバー部２１における液溜部２０の連通孔２０ｂと対応する位置に同連通孔２０ｂと同径の連通孔２１ｂが形成されている。液溜部２０の連通孔２０ｂが形成された部位、及びカバー部２１の連通孔２１ｂが形成された部位には、前記コネクタ１４の基端部が固定され、コネクタ１４の先端側はカバー部２１の外側面から突出するように配置されている。コネクタ１４における連通孔２１ｂに対応した部位よりも先端側には、外周が他の部位より拡径された固定部２３が形成されている。前記固定部２３には円筒状をなすコネクタカバー２２の一端が固定されており、そのコネクタカバー２２によりコネクタ１４の先端側の周方向を覆っている。
【００１７】
図４に示すように、前記コネクタ１４の軸方向中央部分の外周（コネクタ１４の先端側の一部）には、抜止突部１４ａが形成されている。前記抜止突部１４ａは先端側から基端側へ向かうにつれて拡径するテーパ状とされている。前記コネクタ１４における抜止突部１４ａよりも先端側の部位は先端部１４ｂとされている。このため、小径のカテーテルＣ１と、そのカテーテルＣ１を内部に備えた大径のカテーテルＣ２とをコネクタ１４に接続する際に、カテーテルＣ１の先端は抜止突部１４ａを乗り越えることなく、抜止突部１４ａと先端部１４ｂとの境界付近まで挿入可能とされている。また、カテーテルＣ２の先端は抜止突部１４ａを乗り越えてコネクタ１４の基端側まで挿入可能とされている。このカテーテルＣ２及びカテーテルＣ２内に配置されたカテーテルＣ１は、基端側でそれぞれ分岐して使用されるものである。
【００１８】
次に、薬液注入装置１１における特徴的な部分について説明する。
図２の拡大円に示すように、前記液溜部２０の上端部には略リング状をなす係止突条２５が形成されている。前記係止突条２５の先端部外周には係止爪２５ａが形成されている。図２に示すように、前記穿刺部材１３はこの係止突条２５内に配置されている。前記液溜部２０の上端部でかつ係止突条２５の内側には、断面尖鋭状の食込み突条２６が形成されている。前記食込み突条２６は抜出防止手段及び食込み手段に相当する。そして、前記食込み突条２６が穿刺部材１３の外周部１３ａにおける下端部に対して食い込んでいる。
【００１９】
前記係止突条２５とカバー部２１との間には、略逆冠状をなす穿刺可能部教示部材としての縁取リング２８が配置されている。前記縁取リング２８は切れ目がない円形をなすリング状とされている。本実施形態では、縁取リング２８はＸ線不透過性材料及び非磁性体金属としてのチタン（Ｔｉ）にて形成されている。
【００２０】
縁取リング２８は、ハウジング本体１２における液溜まり空間Ｓを基準とした穿刺部材１３側の部位に配置されている。前記縁取リング２８は、前記係止突条２５の外周に位置する第１リング部２８ａと、前記穿刺部材１３の外周部１３ａに当接する第２リング部２８ｂと、その第１リング部２８ａと第２リング部２８ｂを連結する第３リング部２８ｃを備えている。図２の拡大円に示すように、前記第１リング部２８ａには前記係止突条２５の係止爪２５ａと係合する係止爪２９が形成されており、前記係止爪２５ａと前記係止爪２９とが係止している。
【００２１】
図２に示すように、前記第２リング部２８ｂの内径は前記カバー部２１の露出孔２１ａの径よりも若干小さくなるように形成されている。以下、前記第２リング部２８ｂの内縁を含む仮想円筒Ｋを想定する。仮想円筒Ｋは仮想筒に相当する。また、穿刺部材１３において、仮想円筒Ｋの内部に対応する部位は注射針（薬液注入用の針）を穿刺可能な穿刺可能部１３ｂという。前記外周部１３ａは、穿刺部材１３における仮想円筒Ｋの外部に対応する部位に相当する。従って、穿刺可能部１３ｂの外縁を含む仮想円筒Ｋを囲むように縁取リング２８が構成されている。また、前記第２リング部２８ｂの内部から穿刺可能部１３ｂが露出している。
【００２２】
前記第２リング部２８ｂの下面には、断面尖鋭状の食込み突条３０が形成されている。前記食込み突条３０は抜出防止機構及び食込み機構に相当する。そして、前記食込み突条３０が前記穿刺部材１３の外周部１３ａにおける上端部に対して食い込んでいる。即ち、前記係止爪２５ａと前記係止爪２９とが係止することにより、穿刺部材１３の外周部１３ａにおける上下両側に対して食込み突条２６，３０が食い込んだ状態となり、穿刺部材１３をハウジング本体１２の露出孔２１ａから抜け出さないように固定している。
【００２３】
次に、上記第１実施形態のように構成された薬液注入装置１１の作用について説明する。
予め前記薬液注入装置１１を患者の皮下に穿刺部材１３が体の表面側を向くように埋入しておく。そして、皮下埋入した薬液注入装置１１における液溜まり空間Ｓ内へ薬液を注入する際には、次に示す方法により行う。まず、皮下埋入した薬液注入装置１１に対して、画像診断装置としてのＸ線診断装置のＸ線を皮膚を介して放射（照射）する。縁取リング２８はハウジング本体１２及び穿刺部材１３に比してＸ線が透過しにくい材料にて形成されている。このため、皮下埋入した薬液注入装置１１を穿刺部材１３側から見たＸ線映像（図１において紙面に対して垂直に見た映像）においては、穿刺部材１３の穿刺可能部１３ｂの外縁を縁取る（外縁を教示する）かのようにして縁取リング２８が識別できる。加えて、患者の皮下に薬液注入装置１１を深く埋め込んだ場合、即ち皮膚と薬液注入装置１１との間に位置する脂肪層が厚くなっていても、穿刺可能部１３ｂの位置を容易に把握することができる。従って、縁取リング２８にて外縁が縁取り（外縁が教示）された穿刺可能部１３ｂに対して図示しない注射針が刺しやすくなる。
【００２４】
特に、縁取リング２８の第２リング部２８ｂにおける内縁は、穿刺可能部１３ｂの外縁に当接している。そのため、穿刺部材１３の穿刺可能部１３ｂをＸ線映像にて見る状態が例えば図１において紙面に対して斜めから見た状態でも縁取リング２８による穿刺可能部１３ｂの外縁の縁取り（外縁の教示）を良好に見ることができる。この結果、Ｘ線映像を見ながら皮膚と穿刺可能部１３ｂを通して図示しない注射針を容易に刺入し、その注射針の先端から液溜まり空間Ｓ内に薬液を注入することができる。
【００２５】
また、皮下埋入した薬液注入装置１１における液溜まり空間Ｓ内へ薬液を注入する際には、Ｘ線診断装置以外にも、画像診断装置としてのＭＲＩ装置（磁気共鳴映像法）を用いて行う方法がある。即ち、皮下埋入した薬液注入装置１１に対してＭＲＩ装置から磁力（強力な磁石の力）及び電波（ラジオ波）をかける。
【００２６】
すると、穿刺部材１３及びハウジング本体１２と、縁取リング２８とでは、分子の運動状態などが異なるため、その分子の運動状態などを反映した映像において、穿刺部材１３及びハウジング本体１２と、縁取リング２８とが明らかに見分けがつくように表示される。そして、皮下埋入した薬液注入装置１１を穿刺部材１３側から見た表示画面（図１において紙面に対して垂直に見た状態の表示画面）においては、穿刺部材１３の穿刺可能部１３ｂの外縁を縁取る（外縁を教示する）かのようにして縁取リング２８が明確に識別できる。すなわち、穿刺可能部１３ｂの位置を容易に把握することができる。
【００２７】
本来、ＭＲＩ装置にて磁性体の映像を得ようとすると、アーチファクトという現象が現れる。アーチファクトとは、磁性体が原因でプロトン（陽子）の共鳴周波数がずれ、磁性体周辺部の映像に大きなひずみを起こし、ぼやけた映像となってしまう現象をいう。縁取リング２８は、チタン（Ｔｉ）にて形成されているためアーチファクトが起こらず縁取リング２８が明確に見える。そのため、縁取リング２８により穿刺可能部１３ｂの位置を容易に把握することができる。
【００２８】
ところで、液溜まり空間Ｓ内に薬液を多量に注入した場合、液圧により穿刺部材１３の穿刺可能部１３ｂが液溜凹部２０ａとは反対側へ盛り上がり、穿刺部材１３の外周部１３ａがハウジング本体１２の露出孔２１ａから抜け出そうとする。しかしながら、本実施形態では、両食込み突条２６，３０がそれぞれ穿刺部材１３に食い込んでいることにより、外周部１３ａがハウジング本体１２から抜け出すことがない。
【００２９】
従って、上記第１実施形態の薬液注入装置１１によれば、以下のような効果を得ることができる。
（１）本実施形態では、仮想円筒Ｋは穿刺可能部１３ｂの外縁を含んだ。そして、仮想円筒Ｋを囲むようにして縁取リング２８を配置した。縁取リング２８はＸ線不透過性材料でかつ非磁性体金属であるチタン（Ｔｉ）にて形成した。そのため、皮下埋入した薬液注入装置１１における液溜まり空間Ｓ内へ薬液を注入する際に、薬液注入装置１１を皮下埋入した部分に対してＸ線を放射（照射）する。すると、縁取リング２８がハウジング本体１２及び穿刺部材１３に比してＸ線が透過しにくい材料にて形成したため、縁取リング２８が穿刺可能部１３ｂの外縁を縁取る（外縁を教示する）かのようにして縁取リング２８を識別できる。また、ＭＲＩ装置を用いた際には穿刺部材１３及びハウジング本体１２と、縁取リング２８とが明らかに見分けがつくように表示される。従って、薬液注入装置１１を皮下に埋入した状態において、皮膚と薬液注入装置１１との間に位置する脂肪層が厚くなっていても、Ｘ線を照射して得られた映像や、磁力及び電波を発生させて得られた映像に基づいて縁取リング２８により穿刺可能部１３ｂの位置を容易に確認できる。この結果、薬液注入作業の効率を向上させることができる。
【００３０】
また、薬液注入装置１１の高さ方向（図２における上下方向）長さが短くなるように形成（即ち、薄型に形成）したタイプを皮下に埋入した場合、皮膚を触って調べただけではハウジング本体１２の外縁を把握しにくくなる傾向があり、この結果、穿刺可能部１３ｂの位置も把握しにくくなる傾向がある。しかしながら、本実施形態の縁取リング２８を有する薬液注入装置１１においては、Ｘ線を照射して得られた映像や、磁力及び電波を発生させて得られた映像を用いることにより、穿刺可能部１３ｂの位置を把握することができる。従って、薬液注入装置１１を、高さ方向が短くなるように形成（薄型に形成）されている薬液注入装置１１を皮下に埋入した場合においても、容易に穿刺可能部１３ｂの位置を確認できる。
【００３１】
（２）本実施形態では、縁取リング２８は、ハウジング本体１２における液溜まり空間Ｓを基準とした穿刺部材１３側の部位に配置した。また、縁取リング２８の第２リング部２８ｂの内縁が穿刺部材１３の穿刺可能部１３ｂの外縁に対して当接状態で配置した。そのため、穿刺部材１３の穿刺可能部１３ｂをＸ線映像（ＭＲＩ映像）にて見る状態が例えば図１において紙面に対して斜めから見た状態でも縁取リング２８による穿刺可能部１３ｂの外縁の縁取り（外縁の教示）を良好に見ることができる。
【００３２】
（３）本実施形態では、縁取リング２８には、穿刺部材１３の外周部１３ａに対して食い込む食込み突条３０を備えた。また、ハウジング本体１２には穿刺部材１３の外周部１３ａに対して食い込む食込み突条２６を備えた。従って、食込み突条２６，３０が穿刺部材１３の外周部１３ａに食い込んでいることにより、ハウジング本体１２から穿刺部材１３が抜け出すことを防止できる。
【００３３】
（４）本実施形態では、コネクタ１４の軸方向中央部分の外周に抜止突部１４ａを形成した。従って、小径のカテーテルＣ１をコネクタ１４に接続する際には、カテーテルＣ１の先端は抜止突部１４ａを乗り越えることなく先端部１４ｂまで取り付けできる。また、大径のカテーテルＣ２の先端をコネクタ１４に接続する際には、カテーテルＣ２は抜止突部１４ａを乗り越えてコネクタ１４の基端側まで挿入できる。
【００３４】
（第２実施形態）
以下、本発明を具体化した第２実施形態を図５及び図６に従って説明する。なお、第２実施形態の薬液注入装置は、前記第１実施形態を変更したものであり、前記第１実施形態と同様の構成については、同一符号を付してその詳細な説明を省略し異なるところのみを説明する。
【００３５】
本実施形態の薬液注入装置４１は、前記薬液注入装置１１における縁取リング２８の形状とその配置する位置、及びカバー部２１の形状を変更したものに相当する。図５に示すように、本実施形態のカバー部４２には、前記第１実施形態におけるカバー部２１の露出孔２１ａと同様の露出孔４２ａを備えている。図５の拡大円に示すように、カバー部４２には、前記第１実施形態の縁取リング２８に形成されていた係止爪２９に相当する係止爪４３が形成されている。図５に示すように、カバー部４２には、前記第１実施形態の縁取リング２８に形成されていた食込み突条３０に相当する食込み突条４４も形成されている。前記食込み突条４４は抜出防止手段及び食込み手段に相当する。この結果、前記係止爪２５ａと前記係止爪４３とが係止することにより、食込み突条２６，４４が穿刺部材１３の外周部１３ａにおける上下両側に対して食い込んだ状態となり、穿刺部材１３をハウジング本体１２の露出孔４２ａから抜け出さないように固定している。
【００３６】
そして、本実施形態の液溜部２０の底部には、断面円形状をなす穿刺可能部教示部材としての外縁教示リング４５が埋設されている。外縁教示リング４５は、切れ目のない円形をなすリング状とされている。本実施形態では、外縁教示リング４５はＸ線不透過性材料及び非磁性体金属としてのチタン（Ｔｉ）にて形成されている。
【００３７】
なお、本実施形態では、仮想円筒Ｋはカバー部４２の露出孔４２ａ（カバー部４２の内縁）を含むように想定している。
前記外縁教示リング４５の内径は仮想円筒Ｋの直径と同径とされており、仮想円筒Ｋを囲むようにして外縁教示リング４５が液溜部２０の底部に埋設されている。前記外縁教示リング４５は、ハウジング本体１２における液溜まり空間Ｓを基準とした穿刺部材１３とは反対側の部位に配置されている。
【００３８】
次に、上記第２実施形態のように構成された薬液注入装置４１の作用を説明する。
本実施形態においても、穿刺部材１３が体の表面側を向くように皮下埋入した薬液注入装置４１に対して、Ｘ線診断装置のＸ線を放射（照射）した場合には以下に示すようになる。皮下埋入した薬液注入装置４１を穿刺部材１３側から見たＸ線映像（図１において紙面に対して垂直に見た映像）においては、穿刺部材１３の穿刺可能部１３ｂの外縁を教示するかのようにして外縁教示リング４５が識別できる。そのため、穿刺可能部１３ｂの位置を容易に把握することができ、その外縁教示リング４５にて外縁が教示された穿刺可能部１３ｂに対して図示しない注射針が刺しやすくなる。
【００３９】
また、皮下埋入した薬液注入装置４１に対してＭＲＩ装置から磁力及び電波をかけて映像を得た場合には以下に示すようになる。皮下埋入した薬液注入装置４１を穿刺部材１３側から見た表示画面（図１において紙面に対して垂直に見た表示画面）においては、穿刺部材１３の穿刺可能部１３ｂの外縁を教示するかのようにして穿刺部材１３及びハウジング本体１２と、外縁教示リング４５とが見分けがつく。そのため、穿刺可能部１３ｂの位置を容易に把握することができ、その外縁教示リング４５にて外縁が教示された穿刺可能部１３ｂに対して図示しない注射針が刺しやすくなる。
【００４０】
従って、上記第２実施形態の薬液注入装置４１によれば、前記第１実施形態における（１）、（４）の効果に加えて、以下のような効果を得ることができる。
（１）本実施形態では、ハウジング本体１２には穿刺部材１３の外周部１３ａに対して食い込む食込み突条２６，４４を備えた。従って、食込み突条２６，４４が穿刺部材１３の外周部１３ａに食い込んでいることにより、ハウジング本体１２の露出孔４２ａから穿刺部材１３が抜け出すことを防止できる。
【００４１】
（２）本実施形態では、液溜部２０の底部に外縁教示リング４５を埋設した。従って、体液に触れない外縁教示リング４５は格別生体適合性のよい材料でなくてもよく、外縁教示リング４５の材料を幅広く選定することができる。例えば、薬液注入装置４１をＸ線照射用とする場合、外縁教示リング４５をステンレス等にて形成しても良い。
【００４２】
（他の実施形態）
なお、上記各実施形態は以下のような他の実施形態に変更して具体化してもよい。
【００４３】
・前記第１実施形態では、ハウジング本体１２に食込み突条２６を形成し、縁取リング２８に食込み突条３０を形成していた。そして、食込み突条２６，３０を穿刺部材１３の外周部１３ａの上下両側から食い込ませて、穿刺部材１３をハウジング本体１２の露出孔２１ａから抜け出さないように固定していた。これに限らず、食込み突条２６及び食込み突条３０のうち一方を省略し、残った食込み突条を穿刺部材１３の外周部１３ａに食い込ませて穿刺部材１３をハウジング本体１２の露出孔２１ａから抜け出さないように固定してもよい。
【００４４】
・前記第２及び第３実施形態では、ハウジング本体１２に食込み突条２６，４４を形成し、その食込み突条２６，４４を穿刺部材１３の外周部１３ａの上下両側から食い込ませて、穿刺部材１３をハウジング本体１２の露出孔４２ａから抜け出さないように固定していた。これに限らず、食込み突条２６及び食込み突条４４のうち一方を省略し、残った食込み突条を穿刺部材１３の外周部１３ａに食い込ませて穿刺部材１３をハウジング本体１２の露出孔４２ａから抜け出さないように固定してもよい。
【００４５】
・前記第１及び第２実施形態では、縁取リング２８及び外縁教示リング４５を円形をなすリング状に形成していた。これに限らず、縁取リング２８及び外縁教示リング４５を多角形をなすリング状に形成してもよい。
【００４６】
・前記第１実施形態では、縁取リング２８を切れ目がないリング状に形成していた。これに限らず、図７に示すように半円状の穿刺可能部教示部材としての縁取リング６２を２個配置して穿刺可能部１３ｂの外縁を縁取る（外縁を教示する）ように薬液注入装置６１を構成してもよい。また、図８に示すように、切れ目が一つあるＣリング状の穿刺可能部教示部材としての縁取リング７２にて穿刺可能部１３ｂの外縁を縁取る（外縁を教示する）ように薬液注入装置７１を構成してもよい。加えて、図９に示すように、縁取リング２８を複数に分割した状態（図９においては７個に分割した状態）の複数の穿刺可能部教示部材としての縁取リング片８２にて穿刺可能部１３ｂの外縁を縁取る（外縁を教示する）ようにして薬液注入装置８１を構成してもよい。上記縁取リング６２，７２、及び縁取リング片８２は前記第１実施形態の縁取リング２８と同じ材料で形成している。前記縁取リング６２，７２、及び縁取リング片８２は仮想円筒Ｋを囲むように配置している。また、縁取リング６２，７２、及び縁取リング片８２は、ハウジング本体１２における液溜まり空間Ｓを基準とした穿刺部材１３側の部位に配置している。
【００４７】
・前記第２実施形態では、液溜部２０の底部に外縁教示リング４５を埋設していた。これに限らず、図１０に示すように、外縁教示リング４５に相当する穿刺可能部教示部材としての縁取リング９２をカバー部４２内に配置した薬液注入装置９１を構成してもよい。この場合、縁取リング９２の内径は仮想円筒Ｋの直径と同径としている。縁取リング９２は仮想円筒Ｋを囲むように配置している。縁取リング９２は前記第１実施形態の縁取リング２８と同じ材料で形成している。縁取リング９２は、ハウジング本体１２における液溜まり空間Ｓを基準とした穿刺部材１３側の部位に配置している。
【００４８】
・前記第２実施形態では、切れ目のないリング状の外縁教示リング４５により穿刺可能部１３ｂの外縁を教示していた。これに限らず、図１１に示すように、液溜部２０の底部に埋設されると共に仮想円筒Ｋを囲むようにして複数個並べられた穿刺可能部教示部材としての外縁教示片１０２を設けた薬液注入装置１０１を構成してもよい。外縁教示片１０２は、前記第１実施形態の縁取リング２８と同じ材料で形成している。このようにしても、複数の外縁教示片１０２にて穿刺可能部１３ｂの外縁を教示することができる。
【００４９】
・前記第２実施形態では、液溜部２０の底部に外縁教示リング４５を埋設していた。これに限らず、図１２に示すように、薬液注入装置１３１における穿刺部材１３内に外縁教示リング４５に相当する穿刺可能部教示部材としての教示リング１３２を埋設してもよい。教示リング１３２は、前記第１実施形態の縁取リング２８と同じ材料で形成している。このようにしても、教示リング１３２にて穿刺可能部１３ｂの外縁を教示することができる。
【００５０】
・前記第２実施形態では、外縁教示リング４５の内径は仮想円筒Ｋの直径と同径とし、仮想円筒Ｋを囲むようにして外縁教示リング４５を液溜部２０の底部に埋設していた。これに限らず、図１３に示すように、外縁教示リング４５の内径を仮想円筒Ｋの直径よりも小さくしたものに相当する穿刺可能部教示部材としての教示リング１１２を備えた薬液注入装置１１１を構成してもよい。この場合、教示リング１１２を、仮想円筒Ｋ内に位置するように液溜部２０の底部に埋設する。教示リング１１２は、前記第１実施形態の縁取リング２８と同じ材料で形成している。このようにすると、教示リング１１２は穿刺可能部１３ｂの少なくとも一部を教示することができる。従って、薬液注入装置１１１はＸ線を照射して得られた映像や、磁力及び電波を照射して得られた映像に基づいて、教示リング１１２により穿刺可能部１３ｂの少なくとも一部を確認しながらその穿刺可能部１３ｂへ穿刺できる。
【００５１】
・前記各実施形態では、縁取リング２８の第２リング部２８ｂの内径、外縁教示リング４５の内径、両縁取リング６２がなす内径、縁取リング７２の内径、各縁取リング片８２がなす内径、縁取リング９２の内径、各外縁教示片１０２がなす内径、教示リング１３２の内径を仮想円筒Ｋの直径と同じにしていた。これに限らず、上記各部材の内径は、仮想円筒Ｋの直径よりも若干大きく形成したり、仮想円筒Ｋの直径よりも若干小さく形成したりしてもよい。
【００５２】
次に、上記各実施形態及び他の実施形態から把握できる技術的思想について以下に追記する。
（イ）前記抜出防止機構は、前記穿刺部材に対して食い込むことにより前記ハウジング本体から前記穿刺部材が抜け出すのを防ぐ食込み機構であることを特徴とする請求項４に記載の薬液注入装置。
【００５３】
（ロ）前記抜出防止手段は、前記穿刺部材に対して食い込むことにより前記ハウジング本体から前記穿刺部材が抜け出すのを防ぐ食込み手段であることを特徴とする請求項５に記載の薬液注入装置。
【００５４】
（ハ）開口部を有するハウジング本体と、前記開口部を塞ぐと共に薬液注入用の針を穿刺可能とした穿刺可能部を有する穿刺部材と、前記ハウジング本体と前記穿刺部材との間に設けられた液溜まり空間と外部とを連通すると共にカテーテルを外方から装着可能とした連通部とを備えた薬液注入装置であって、画像診断装置からＸ線を照射して得られた映像や、磁力及び電波を発生させて得られた映像が構築されたときに、その映像上において前記穿刺可能部を教示する穿刺可能部教示部材を設けたことを特徴とする薬液注入装置。
【００５５】
【発明の効果】
以上詳述したように、本発明によれば、薬液注入作業の効率を向上させることができる。
【図面の簡単な説明】
【図１】第１実施形態における薬液注入装置の平面図。
【図２】図１のＡ−Ａ矢視断面図であり、第１実施形態における正断面図。
【図３】図２におけるＢ−Ｂ矢視断面図。
【図４】第１実施形態におけるコネクタを示す拡大断面図。
【図５】第２実施形態における薬液注入装置の正断面図。
【図６】第２実施形態における薬液注入装置の底面図。
【図７】図２のＢ−Ｂ矢視断面に対応した図であり、他の実施形態を示す平断面図。
【図８】図２のＢ−Ｂ矢視断面に対応した図であり、他の実施形態を示す平断面図。
【図９】図２のＢ−Ｂ矢視断面に対応した図であり、他の実施形態を示す平断面図。
【図１０】他の実施形態における薬液注入装置の正断面図。
【図１１】他の実施形態における薬液注入装置の底面図。
【図１２】他の実施形態における薬液注入装置の正断面図。
【図１３】他の実施形態における薬液注入装置の正断面図。
【符号の説明】
１１，４１，６１，７１，８１，９１，１０１，１１１，１３１…薬液注入装置、１２…ハウジング本体、１３…穿刺部材、１３ｂ…穿刺可能部、１９…開口部、２０ｂ…連通部、２６，４４…抜出防止手段としての食込み突条、２８…穿刺可能部教示部材としての縁取リング、３０…抜出防止機構としての食込み突条、４５…穿刺可能部教示部材としての外縁教示リング、６２，７２，９２…穿刺可能部教示部材としての縁取リング、８２…穿刺可能部教示部材としての縁取リング片、１０２…穿刺可能部教示部材としての外縁教示片、１１２，１２２，１３２…穿刺可能部教示部材としての教示リング、Ｃ１，Ｃ２…カテーテル、Ｋ…仮想筒としての仮想円筒、Ｓ…液溜まり空間。
【図１】
2004350937.tif 000003
【図２】
2004350937.tif 000004
【図３】
2004350937.tif 000005
【図４】
2004350937.tif 000006
【図５】
2004350937.tif 000007
【図６】
2004350937.tif 000008
【図７】
2004350937.tif 000009
【図８】
2004350937.tif 000010
【図９】
2004350937.tif 000011
【図１０】
2004350937.tif 000012
【図１１】
2004350937.tif 000013
【図１２】
2004350937.tif 000014
【図１３】
2004350937.tif 000015